(57)【特許請求の範囲】
【請求項１】
データの送信をスケジュールする方法であって、
ロング・ターム・エボリューション（ＬＴＥ）バンド幅の少なくとも一部分である第１のバンド幅を使用して、ユーザ機器（ＵＥ）に対して、ダウンリンク制御チャネル情報を送信するステップ（Ｓ４００）と、
複数のプリアンブルからプリアンブルを選択するステップであって、前記複数のプリアンブルのそれぞれは、サブフレームの中の異なるシンボルに関連づけられる、選択するステップと、
前記ＬＴＥバンド幅を除外したバンド幅である第２のバンド幅を使用して、前記ＵＥに対して、スケジュールされたデータ送信を示す前記選択されたプリアンブルを送信するステップ（Ｓ４１０）と、
前記ダウンリンク制御チャネル情報と前記選択されたプリアンブルとに従って、前記第２のバンド幅を使用して、前記ＵＥに対して、前記データを送信するステップ（Ｓ４２０）と
を含む方法。
【請求項２】
前記ダウンリンク制御チャネル情報を前記送信するステップ（Ｓ４００）は、前記選択されたプリアンブルを前記送信するステップの前に起こる、請求項１に記載の方法。
【請求項３】
前記選択されたプリアンブルは、前記スケジュールされたデータ送信のための直交周波数分割多重化（ＯＦＤＭ）シンボルを示す、請求項１に記載の方法。
【請求項４】
前記選択されたプリアンブルは、前記データを前記送信するステップのための開始シンボルを示す、請求項３に記載の方法。
【請求項５】
データの送信をスケジュールする方法であって、
ロング・ターム・エボリューション（ＬＴＥ）バンド幅の少なくとも一部分である第１のバンド幅を使用して、ユーザ機器（ＵＥ）に対して、ダウンリンク制御チャネル情報を送信するステップと、
前記ＬＴＥバンド幅を除外したバンド幅である第２のバンド幅を使用して、前記ＵＥに対して、スケジュールされたデータ送信を示すプリアンブルを送信するステップと、
前記ダウンリンク制御チャネル情報と前記プリアンブルとに従って、前記第２のバンド幅を使用して、前記ＵＥに対して、前記データを送信するステップと
を含み、
前記プリアンブルは、前記スケジュールされたデータ送信のための直交周波数分割多重化（ＯＦＤＭ）シンボルを示し、
前記プリアンブルは、前記データを前記送信するステップのための開始シンボルを示し、また
前記プリアンブルは、前記データを前記送信するステップの前記開始シンボルとして次のシンボルを示す終了部分を含む、方法。
【請求項６】
前記送信するステップ（Ｓ４２０）は、前記第２のバンド幅の上の物理ダウンリンク共用チャネル（ＰＤＳＣＨ）の上で前記データを送信する、請求項４に記載の方法。
【請求項７】
前記第２のバンド幅の上のチャネルが、使用可能であるかどうかを決定する空きチャネル判定（ＣＣＡ）を実行するステップ
をさらに含んでおり、前記選択されたプリアンブルを前記送信するステップは、前記実行するステップに基づいている、請求項１に記載の方法。
【請求項８】
前記選択されたプリアンブルを前記送信するステップの前に、前記チャネルを予約するステップ
をさらに含む、請求項７に記載の方法。
【請求項９】
ロング・ターム・エボリューション（ＬＴＥ）バンド幅の少なくとも一部分である第１のバンド幅を使用して、ユーザ機器（ＵＥ）に対して、ダウンリンク制御チャネル情報を送信し、
前記ＬＴＥバンド幅を除外したバンド幅である第２のバンド幅を使用して、前記ＵＥに対して、スケジュールされたデータ送信を示すプリアンブルを送信し、また
前記ダウンリンク制御チャネル情報と前記プリアンブルとに従って、前記第２のバンド幅を使用して、前記ＵＥに対して、データを送信する
ように構成されたネットワーク要素（１１５）を備えており、
前記ネットワーク要素は、複数のプリアンブルから前記プリアンブルを選択するように構成されており、前記複数のプリアンブルのそれぞれは、サブフレームの中の異なるシンボルに関連づけられる、システム。
【発明の詳細な説明】
【背景技術】
【０００１】
ロング・ターム・エボリューション（ＬＴＥ：Ｌｏｎｇ−Ｔｅｒｍ  Ｅｖｏｌｕｔｉｏｎ）−進化型は、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として知られている制御チャネルを提供している。さらに、進化型ＰＤＣＣＨが、提供されることもある。
【０００２】
ＲＦ通信は、政府機関が、どのパーティがどの周波数バンドを通信のために使用することができるかを制御するように、政府機関によって規制される可能性がある。例えば、米国においては、政府は、無線スペクトルの他の部分をアンライセンス・バンドの一部分であるように規定しながら、無線スペクトルのある種の部分をライセンス・バンドの一部分であるように規定してきている。ライセンス・バンドは、あるエンティティが、通信のために無線周波数を使用する前に、政府からライセンスを取得することを必要とする無線周波数を含むバンドである。それとは反対に、あるエンティティは、通信のためのアンライセンス・バンド内の無線周波数を使用する特別なライセンスを必要としなくてもよい。米国においては、アンライセンス・バンドの一例は、知られている５ＧＨｚのアンライセンス・バンドである。一般に、無線スペクトルのライセンス部分の例示の使用は、モバイル・デバイスのためのワイヤレス・カバレッジを提供するワイヤレス通信会社による使用を含んでいるが、無線スペクトルのアンライセンス部分の例示の使用は、８０２．１１（例えば、Ｗｉ−Ｆｉ）の可能なデバイスによる使用を含んでいる。
【発明の概要】
【課題を解決するための手段】
【０００３】
少なくとも１つの例示の実施形態は、データの送信をスケジュールする方法を開示している。本方法は、ロング・ターム・エボリューション（ＬＴＥ：ｌｏｎｇ  ｔｅｒｍ  ｅｖｏｌｕｔｉｏｎ）バンド幅の少なくとも一部分である第１のバンド幅を使用して、ユーザ機器（ＵＥ：ｕｓｅｒ  ｅｑｕｉｐｍｅｎｔ）に対して、ダウンリンク制御チャネル情報を送信するステップと、ＬＴＥバンド幅を除外したバンド幅である第２のバンド幅を使用して、ＵＥに対して、スケジュールされたデータ送信を示すプリアンブルを送信するステップと、ダウンリンク制御チャネル情報とプリアンブルとに従って、第２のバンド幅を使用して、ＵＥに対して、データを送信するステップと、を含む。
【０００４】
例示の一実施形態においては、ダウンリンク制御チャネル情報を送信するステップは、プリアンブルを送信するステップの前に起こる。
【０００５】
例示の一実施形態においては、プリアンブルは、スケジュールされたデータ送信のための直交周波数分割多重化（ＯＦＤＭ：ｏｒｔｈｏｇｏｎａｌ  ｆｒｅｑｕｅｎｃｙ−ｄｉｖｉｓｉｏｎ  ｍｕｌｔｉｐｌｅｘｉｎｇ）シンボルを示す。
【０００６】
例示の一実施形態においては、プリアンブルは、データを送信するステップのための開始シンボルを示す。
【０００７】
例示の一実施形態においては、プリアンブルは、終了部分を含んでおり、その終了部分は、データを送信するステップの開始シンボルとしての次のシンボルを示す。
【０００８】
例示の一実施形態においては、送信するステップは、第２のバンド幅の上の物理ダウンリンク共用チャネル（ＰＤＳＣＨ：ｐｈｙｓｉｃａｌ  ｄｏｗｎｌｉｎｋ  ｓｈａｒｅｄ  ｃｈａｎｎｅｌ）の上でデータを送信する。
【０００９】
例示の一実施形態においては、本方法は、複数のプリアンブルからプリアンブルを選択するステップをさらに含んでおり、複数のプリアンブルの数は、サブフレームにおけるシンボルの数に等しい。
【００１０】
例示の一実施形態においては、本方法は、第２のバンド幅の上のチャネルが、使用可能であるかどうかを決定する空きチャネル判定（ＣＣＡ：ｃｌｅａｒ  ｃｈａｎｎｅｌ  ａｓｓｅｓｓｍｅｎｔ）を実行するステップをさらに含んでおり、プリアンブルを送信するステップは、実行するステップに基づいている。
【００１１】
例示の一実施形態においては、本方法は、プリアンブルを送信するステップの前に、チャネルを予約するステップをさらに含んでいる。
【００１２】
例示の一実施形態においては、プリアンブルを送信するステップは、実行するステップの後に起こる。
【００１３】
例示の一実施形態においては、本方法は、プリアンブルが、サブフレームにおける先行するＯＦＤＭシンボル数（ＯＦＤＭ  ｓｙｍｂｏｌ  ｎｕｍｂｅｒ）を示す場合に、チャネルを予約するステップをさらに含んでいる。
【００１４】
例示の一実施形態においては、データを送信するステップは、次のサブフレームのＯＦＤＭシンボル数に対応しているシンボルの中のデータを送信する。
【００１５】
少なくとも１つの例示の実施形態は、第１のバンド幅を使用して、ユーザ機器（ＵＥ）に対して、ロング・ターム・エボリューション（ＬＴＥ）フォーマットの形であるダウンリンク制御チャネル情報を送信するステップと、ＬＴＥバンド幅を除外したバンド幅である第２のバンド幅を使用して、ＵＥに対して、スケジュールされたデータ送信を示すプリアンブルを送信するステップと、ダウンリンク制御チャネル情報とプリアンブルとに従って、第２のバンド幅を使用して、ＵＥに対して、データを送信するステップとを含む、データの送信をスケジュールする方法を開示している。
【００１６】
少なくとも１つの例示の実施形態は、ロング・ターム・エボリューション（ＬＴＥ）バンド幅の少なくとも一部分である第１のバンド幅を使用して、ユーザ機器（ＵＥ）に対して、ダウンリンク制御チャネル情報を送信し、ＬＴＥバンド幅を除外したバンド幅である第２のバンド幅を使用して、ＵＥに対して、スケジュールされたデータ送信を示すプリアンブルを送信し、またダウンリンク制御チャネル情報とプリアンブルとに従って、第２のバンド幅を使用して、ＵＥに対して、データを送信するように構成されたネットワーク要素を備えているシステムを開示している。
【００１７】
例示の一実施形態においては、ネットワーク要素は、ダウンリンク制御チャネル情報を送信するように構成されており、これは、プリアンブルを送信する前に起こる。
【００１８】
例示の一実施形態においては、プリアンブルは、スケジュールされたデータ送信のための直交周波数分割多重化（ＯＦＤＭ）シンボルを示す。
【００１９】
例示の一実施形態においては、プリアンブルは、データを送信するステップについての開始シンボルを示す。
【００２０】
例示の一実施形態においては、プリアンブルは、終了部分を含んでおり、その終了部分は、データを送信するステップの開始シンボルとしての次のシンボルを示す。
【００２１】
例示の一実施形態においては、ネットワーク要素は、第２のバンド幅の上の物理ダウンリンク共用チャネル（ＰＤＳＣＨ）の上でデータを送信するように構成されている。
【００２２】
例示の一実施形態においては、ネットワーク要素は、複数のプリアンブルからプリアンブルを選択するように構成されており、複数のプリアンブルの数は、サブフレームの中のシンボルの数に等しい。
【００２３】
例示の一実施形態においては、ネットワーク要素は、第２のバンド幅の上のチャネルが、使用可能であるかどうかを決定する空きチャネル判定（ＣＣＡ）を実行するように構成されており、プリアンブルを送信するステップは、実行するステップに基づいている。
【００２４】
例示の一実施形態においては、ネットワーク要素は、ＣＣＡを実行した後に、プリアンブルを送信するように構成されている。
【００２５】
例示の一実施形態においては、ネットワーク要素は、プリアンブルを送信する前にチャネルを予約するように構成されている。
【００２６】
例示の一実施形態においては、ネットワーク要素は、プリアンブルが、サブフレームの中の先行するＯＦＤＭシンボル数を示す場合に、チャネルを予約するように構成されている。
【００２７】
例示の一実施形態においては、ネットワーク要素は、次のサブフレームのＯＦＤＭシンボル数に対応しているシンボルの中のデータを送信するように構成されている。
【００２８】
少なくとも１つの例示の実施形態は、第１のバンド幅を使用して、ユーザ機器（ＵＥ）に対して、ロング・ターム・エボリューション（ＬＴＥ）フォーマットの形をしているダウンリンク制御チャネル情報を送信し、ＬＴＥバンド幅を除外したバンド幅である第２のバンド幅を使用して、ＵＥに対して、スケジュールされたデータ送信を示すプリアンブルを送信し、またダウンリンク制御チャネル情報とプリアンブルとに従って、第２のバンド幅を使用して、ＵＥに対して、データを送信するように構成されたネットワーク要素を備えているシステムを開示している。
【００２９】
少なくとも１つの例示の実施形態は、ロング・ターム・エボリューション（ＬＴＥ）バンド幅の少なくとも一部分である第１のバンド幅を使用して、基地局からダウンリンク制御チャネル情報を受信し、ＬＴＥバンド幅を除外したバンド幅である第２のバンド幅を使用して、基地局から、スケジュールされたデータ送信を示すプリアンブルを受信し、またダウンリンク制御チャネル情報とプリアンブルとに従って、第２のバンド幅を使用して、基地局からデータを受信するように構成されたユーザ機器を開示している。
【００３０】
少なくとも１つの例示の実施形態は、第１のバンド幅を使用して、基地局から、ロング・ターム・エボリューション（ＬＴＥ）フォーマットの形をしているダウンリンク制御チャネル情報を受信し、ＬＴＥバンド幅を除外したバンド幅である第２のバンド幅を使用して、基地局から、スケジュールされたデータ送信を示すプリアンブルを受信し、またダウンリンク制御チャネル情報とプリアンブルとに従って、第２のバンド幅を使用して、基地局から、データを受信するように構成されたユーザ機器を開示している。
【００３１】
例示の実施形態は、添付図面と一緒に解釈される以下の詳細な説明からより明確に理解されるであろう。図１〜４は、本明細書において説明されるような非限定的な例示の実施形態を表している。
【図面の簡単な説明】
【００３２】
【図１】例示の一実施形態によるワイヤレス通信ネットワークを示す図である。
【図２Ａ】ｅＮＢの例示の一実施形態を示す図である。
【図２Ｂ】ＵＥの例示の一実施形態を示す図である。
【図３Ａ】例示の一実施形態に従って、物理ダウンリンク共用チャネル（ＰＤＳＣＨ）送信をスケジュールし、また次いでアンライセンス・バンドを予約するタイミング図である。
【図３Ｂ】例示の一実施形態に従って、アンライセンス・バンドを予約し、また次いでＰＤＳＣＨ送信をスケジュールするタイミング図である。
【図４】例示の一実施形態による、データの送信をスケジュールする方法を示す図である。
【発明を実施するための形態】
【００３３】
様々な例示の実施形態が、次に、いくつかの例示の実施形態が示される添付の図面を参照してより十分に説明される。
【００３４】
詳細な実例となる実施形態が、本明細書において開示される。しかしながら、本明細書において開示される特定の構造的詳細および機能的詳細は、例示の実施形態を説明する目的のための単に代表的なものであるにすぎない。本発明は、しかしながら、多数の代替的な形態で実施されることもあり、また本明細書において説明される実施形態だけに限定されるように解釈されるべきではない。
【００３５】
したがって、例示の実施形態は、様々な修正形態および代替形態とすることができるが、それらの実施形態は図面の中で例として示され、また本明細書において詳細に説明される。しかしながら、例示の実施形態を開示される特定の形態だけに限定する意図はないことを理解すべきである。反対に、例示の実施形態は、本開示の範囲内に含まれるすべての修正形態と、等価形態と、代替形態とを対象として含むべきである。同様な番号は、図面の説明全体を通して同様な要素のことを意味している。
【００３６】
第１の、第２の、などの用語を本明細書において使用して、様々な要素を説明することができるが、これらの要素は、これらの用語によって限定されるべきではない。これらの用語は、１つの要素を別の要素から区別するために使用されるだけである。例えば、本開示の範囲を逸脱することなく、第１の要素は、第２の要素と名付けられる可能性があり、また同様に、第２の要素は、第１の要素と名付けられる可能性がある。本明細書において使用されるように、用語「および／または（ａｎｄ／ｏｒ）」は、１つまたは複数の関連するリストアップされた項目についての任意の組合せ、およびすべての組合せを含んでいる。
【００３７】
ある要素が、別の要素に「接続されて（ｃｏｎｎｅｃｔｅｄ）」いる、または「結合されて（ｃｏｕｐｌｅｄ）」いると称されるときに、その要素は、他の要素に直接に接続され、または結合される可能性もあり、あるいは介在する要素が存在していてもよい。対照的に、ある要素が、別の要素に「直接に（ｄｉｒｅｃｔｌｙ）接続されて」いる、または「直接に結合されて」いると称されるときには、介在する要素は存在していない。要素の間の関係を説明するために使用される他の言葉も、同様なやり方（例えば、「間に（ｂｅｔｗｅｅｎ）」に対して「直接に間に（ｄｉｒｅｃｔｌｙ  ｂｅｔｗｅｅｎ）」、「隣接する（ａｄｊａｃｅｎｔ）」に対して「直接に隣接する（ｄｉｒｅｃｔｌｙ  ａｄｊａｃｅｎｔ）」など）で解釈されるべきである。
【００３８】
本明細書において使用される専門用語は、特定の実施形態を説明する目的のためだけであり、限定することを意図してはいない。本明細書において使用されるように、単数形の形式「１つの（ａ）」、「１つの（ａｎ）」、および「その（ｔｈｅ）」は、文脈が、明らかにそうでない場合を示していない限り、同様に複数形の形式を含むことを意図している。用語「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、および／または「含んでいる（ｉｎｃｌｕｄｉｎｇ）」は、本明細書において使用されるときに、述べられた特徴、整数、ステップ、オペレーション、要素、および／またはコンポーネントの存在を指定するが、１つまたは複数の他の特徴、整数、ステップ、オペレーション、要素、コンポーネント、および／またはそれらのグループの存在もしくは追加を除外するものではないことが、さらに理解されるであろう。
【００３９】
いくつかの代替的な実装形態においては、指摘される機能／動作が、図面の中で指摘される順序を外れて起こり得ることにも注意すべきである。例えば、連続して示される２つの図は、実際には、実質的に同時に実行されることもあり、または時として、関与する機能／動作に応じて、逆の順序で実行されることもある。
【００４０】
特定の詳細が、以下の説明において提供されて、例示の実施形態の完全な理解を提供している。しかしながら、例示の実施形態が、これらの特定の詳細なしに実行され得ることが、当業者によって理解されるであろう。例えば、システムは、不必要な詳細の形で例示の実施形態を曖昧にしないようにするために、ブロック図の形で示されることもある。他の例では、よく知られているプロセスと、構造と、技法とは、不必要な詳細なしに示されて、例示の実施形態を曖昧にすることを回避することができる。
【００４１】
以下の説明においては、実例となる実施形態は、特定のタスクを実行し、または特定の抽象データ型を実装するルーチン、プログラム、オブジェクト、コンポーネント、データ構造などを含むプログラム・モジュールまたは機能プロセスとして実装され得る、また例えば、ｅＮＢなど、既存の無線アクセス・ネットワーク（ＲＡＮ：ｒａｄｉｏ  ａｃｃｅｓｓ  ｎｅｔｗｏｒｋ）要素、および／またはモバイル管理エンティティ（ＭＭＥ：ｍｏｂｉｌｅ  ｍａｎａｇｅｍｅｎｔ  ｅｎｔｉｔｉｅｓ）、パケット・データ・ネットワーク（ＰＤＮ：ｐａｃｋｅｔ  ｄａｔａ  ｎｅｔｗｏｒｋ）ゲートウェイ（ＰＧＷ：ＰＤＮ  ｇａｔｅｗａｙｓ）、サービング・ゲートウェイ（ＳＧＷ：ｓｅｒｖｉｎｇ  ｇａｔｅｗａｙｓ）、サーバなどの既存の進化型パケット・コア（ＥＰＣ：Ｅｖｏｌｖｅｄ  Ｐａｃｋｅｔ  Ｃｏｒｅ）ネットワーク要素において、既存のハードウェアを使用して実装され得る、動作とオペレーションのシンボリック表現とに関連して（例えば、フロー・チャート、フロー・ダイアグラム、データフロー・ダイアグラム、構造ダイアグラム、ブロック・ダイアグラムなどの形態で）説明される。そのような既存のハードウェアは、１つまたは複数の中央演算処理装置（ＣＰＵ：Ｃｅｎｔｒａｌ  Ｐｒｏｃｅｓｓｉｎｇ  Ｕｎｉｔｓ）、システム・オン・チップ（ＳＯＣ：ｓｙｓｔｅｍ−ｏｎ−ｃｈｉｐ）デバイス、デジタル信号プロセッサ（ＤＳＰ：ｄｉｇｉｔａｌ  ｓｉｇｎａｌ  ｐｒｏｃｅｓｓｏｒｓ）、特定用途向け集積回路、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙｓ）コンピュータなどを含むことができる。
【００４２】
フロー・チャートは、逐次的プロセスとしてオペレーションを記述することができるが、オペレーションのうちの多くは、並列に、並行して、または同時に実行されることもある。さらに、オペレーションの順序は、再配置されることもある。あるプロセスは、そのオペレーションが完了されるときに、終了されることもあるが、図に含まれない追加のステップを有することもできる。プロセスは、方法、関数、プロシージャ、サブルーチン、サブプログラムなどに対応する可能性がある。プロセスが、関数に対応するときには、その終了は、呼び出し関数またはメイン関数に対する関数のリターンに対応する可能性がある。
【００４３】
本明細書において開示されるように、用語「ストレージ媒体」、「コンピュータ読取り可能ストレージ媒体」、または「非一時的コンピュータ読取り可能ストレージ媒体」は、リード・オンリー・メモリ（ＲＯＭ：ｒｅａｄ  ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、磁気ＲＡＭ、コア・メモリ、磁気ディスク・ストレージ媒体、光学的ストレージ媒体、フラッシュ・メモリ・デバイス、および／または情報を記憶するための他の有形のマシン読取り可能媒体を含めて、データを記憶するための１つまたは複数のデバイスを表すことができる。用語「コンピュータ読取り可能媒体」は、それだけには限定されないが、命令（単数または複数）および／またはデータを記憶し、包含し、または搬送することができる携帯式または固定式のストレージ・デバイスと、光学的ストレージ・デバイスと、様々な他の媒体とを含むことができる。
【００４４】
さらに、例示の実施形態は、ハードウェア、ソフトウェア、ファームウェア、ミドルウェア、マイクロコード、ハードウェア記述言語、またはそれらの任意の組合せによって実装されることもある。ソフトウェア、ファームウェア、ミドルウェア、またはマイクロコードの形で実装されるときに、必要なタスクを実行するプログラム・コードまたはコード・セグメントは、コンピュータ読取り可能ストレージ媒体など、マシンまたはコンピュータによる読取り可能な媒体に記憶されることもある。ソフトウェアの形で実装されるときに、１つまたは複数のプロセッサは、必要なタスクを実行することになる。
【００４５】
コード・セグメントは、プロシージャ、関数、サブプログラム、プログラム、ルーチン、サブルーチン、モジュール、ソフトウェア・パッケージ、クラス、あるいは命令、データ構造、またはプログラム・ステートメントの任意の組合せを表すことができる。コード・セグメントは、情報、データ、引き数、パラメータ、またはメモリ内容を渡すこと、および／または受け取ることにより、別のコード・セグメントまたはハードウェア回路に結合されることもある。情報、引き数、パラメータ、データなどは、メモリ共有化、メッセージ・パッシング、トークン・パッシング、ネットワーク送信などを含む任意の適切な手段を経由して、渡され、転送され、または送信されることもある。
【００４６】
本明細書において使用されるように、用語「ｅノードＢ（ｅＮｏｄｅＢ）」または「ｅＮＢ」は、ノードＢ（ＮｏｄｅＢ）、基地局、トランシーバ局、基地トランシーバ局（ＢＴＳ：ｂａｓｅ  ｔｒａｎｓｃｅｉｖｅｒ  ｓｔａｔｉｏｎ）などの同義語と考えられることもあり、また以下で折に触れて、ノードＢ、基地局、トランシーバ局、基地トランシーバ局（ＢＴＳ）などと称されることもあり、またグラフィカル・カバレッジ・エリアの中のユーザと通信しており、またグラフィカル・カバレッジ・エリアの中のユーザに対してワイヤレス・リソースを提供するトランシーバについて説明している。本明細書において考察されるように、ｅＮＢは、本明細書において考察される方法を実行する能力および機能に追加して、従来のよく知られている基地局に関連するすべての機能を有することができる。
【００４７】
本明細書において考察されるような、用語「ユーザ機器」または「ＵＥ」は、ユーザ、クライアント、モバイル・ユニット、移動局、モバイル・ユーザ、モバイル、加入者、ユーザ、リモート局、アクセス端末、レシーバなどの同義語と考えられることもあり、また
本明細書においては、折に触れて、ユーザ、クライアント、モバイル・ユニット、移動局、モバイル・ユーザ、モバイル、加入者、ユーザ、リモート局、アクセス端末、レシーバなどと称されることもあり、またワイヤレス通信ネットワークにおけるワイヤレス・リソースのリモート・ユーザについて説明している。
【００４８】
本明細書において考察されるように、アップリンク（または逆方向リンク）送信は、ユーザ機器（ＵＥ）からｅＮＢ（またはネットワーク）への送信のことを意味するのに対して、ダウンリンク（または順方向リンク）送信は、ｅＮＢ（またはネットワーク）からＵＥへの送信のことを意味する。
【００４９】
例示の実施形態によれば、ＰＧＷ、ＳＧＷ、ＭＭＥ、ＵＥ、ｅＮＢなどは、ハードウェア、ファームウェア、ソフトウェアを実行するハードウェア、またはそれらの任意の組合せとする（または含む）ことができる。そのようなハードウェアは、本明細書において説明される機能、ならびにこれらの要素の任意の他のよく知られた機能を実行する専用マシンとして構成された、１つまたは複数の中央演算処理装置（ＣＰＵ）、システム・オン・チップ（ＳＯＣ）デバイス、デジタル信号プロセッサ（ＤＳＰ）、特定用途向け集積回路（ＡＳＩＣ：ａｐｐｌｉｃａｔｉｏｎ−ｓｐｅｃｉｆｉｃ−ｉｎｔｅｇｒａｔｅｄ−ｃｉｒｃｕｉｔｓ）、フィールド・プログラマブル・ゲート・アレイ（ＦＰＧＡ）コンピュータなどを含むことができる。少なくともいくつかの場合には、ＣＰＵと、ＳＯＣと、ＤＳＰと、ＡＳＩＣと、ＦＰＧＡとは、一般に、処理回路、プロセッサ、および／またはマイクロプロセッサと称されることもある。
【００５０】
より詳細には、例えば、ＭＭＥ、ＰＧＷおよび／またはＳＧＷは、任意のよく知られているゲートウェイまたは他の物理コンピュータ・ハードウェア・システムとすることができる。ＭＭＥ、ＰＧＷおよび／またはＳＧＷは、１つまたは複数のプロセッサと、様々なインターフェースと、コンピュータ読取り可能媒体と、（オプションとして）ディスプレイ・デバイスとを含むことができる。１つまたは複数のインターフェースは、１つまたは複数の他のネットワーク要素（例えば、ＭＭＥ、ＰＧＷ、ＳＧＷ、ｅＮＢなど）に対して／からデータ・プレーンまたはインターフェースを経由して、（有線的またはワイヤレス的に）データ信号を送信し／受信し、また他のネットワーク要素に対して／から制御プレーンまたはインターフェースを経由して、（有線的またはワイヤレス的に）制御信号を送信する／受信するように構成されていることもある。
【００５１】
ＭＭＥ、ＰＧＷおよび／またはＳＧＷは、１つまたは複数のプロセッサと、１つまたは複数のアンテナに接続された１つまたは複数のトランスミッタ／レシーバを含む様々なインターフェースと、コンピュータ読取り可能媒体と、（オプションとして）ディスプレイ・デバイスとの上で動作することができる。１つまたは複数のインターフェースは、制御プレーンまたはインターフェースを経由して、制御信号を（有線的に、かつ／またはワイヤレス的に）送信する／受信するように構成されていることもある。
【００５２】
ｅＮＢはまた、本明細書において考察されるように、１つまたは複数のプロセッサと、１つまたは複数のアンテナに接続された１つまたは複数のトランスミッタ／レシーバを含む様々なインターフェースと、コンピュータ読取り可能媒体と、（オプションとして）ディスプレイ・デバイスとを含むこともできる。１つまたは複数のインターフェースは、１つまたは複数のスイッチ、ゲートウェイ、ＭＭＥ、制御装置、他のｅＮＢ、ＵＥなどに対して／から、それぞれのデータ・プレーンおよび制御プレーン、またはインターフェースを経由して、データ信号または制御信号を（有線的に、かつ／またはワイヤレス的に）送信する／受信するように構成されていることもある。
【００５３】
本明細書において考察されるように、ＰＧＷと、ＳＧＷと、ＭＭＥとは、進化型パケット・コア・ネットワークの要素またはエンティティ（あるいはコア・ネットワークの要素またはエンティティ）と一括して称されることもある。ｅＮＢは、無線アクセス・ネットワーク（ＲＡＮ）の要素またはエンティティと称されることもある。
【００５４】
少なくともいくつかの例示の実施形態は、ロング・ターム・エボリューション（ＬＴＥ）ネットワークの上で補足キャリアとしてアンライセンス・バンドを使用するデータ送信をスケジュールするための方法およびシステムを開示している。
【００５５】
ＬＴＥについてのライセンス・バンドは、３ＧＰＰ  ＴＳ３６．１０１と３ＧＰＰ  ＴＳ３６．１０４との中で見出される可能性があり、これらの３ＧＰＰ  ＴＳ３６．１０１と３ＧＰＰ  ＴＳ３６．１０４との全体の内容は、ここに参照により組み込まれている。
【００５６】
１つまたは複数の例示の実施形態によれば、無線スペクトル、周波数、またはバンドに関連して本明細書において使用されるような用語「ライセンス」と、「アンライセンス」とは、それぞれ、例えば、米連邦通信委員会（ＦＣＣ：Ｆｅｄｅｒａｌ  Ｃｏｍｍｕｎｉｃａｔｉｏｎ  Ｃｏｍｍｉｓｓｉｏｎ）を含めて、国立機関、地域機関、および／または政府機関によって規定されるような無線スペクトルのライセンス部分と、アンライセンス部分とのことを、意味していることもあり、この米連邦通信委員会（ＦＣＣ）は、知られている５ＧＨｚのアンライセンス・バンドを無線スペクトルのアンライセンス部分として規定している。さらに、無線スペクトルのライセンス部分は、あるエンティティ（例えば、サービス・プロバイダまたは通信ネットワーク・オペレータ）が、そのエンティティが無線スペクトルのその部分を使用するために、国立機関、地域機関、および／または政府機関からライセンスを取得する必要がある、無線スペクトルの部分であり、また無線スペクトルのアンライセンス部分は、あるエンティティが、そのエンティティが無線スペクトルのその部分を使用するために、国立機関、地域機関、および／または政府機関からライセンスを取得することを必要としない、無線スペクトルの部分である。
【００５７】
ブルートゥースなど、Ｗｉ−Ｆｉ以外の技術もまた、アンライセンス・バンドを使用している。
【００５８】
アンライセンス・バンドは、別のオペレータにより、他の技術またはライセンス補助アクセス（ＬＡＡ：Ｌｉｃｅｎｓｅ  Ａｓｓｉｓｔｅｄ  Ａｃｃｅｓｓ）によって使用される可能性があるので、異なるオペレータ（同じ技術または異なる技術の）の間の共存が必要とされる。１つのそのような共存メカニズムは、リッスン・ビフォア・トーク（ＬＢＴ：Ｌｉｓｔｅｎ  Ｂｅｆｏｒｅ  Ｔａｌｋ）である。ＬＢＴにおいては、あらゆるｅＮＢは、チャネルを検知して、チャネルが、ｅＮＢがその送信を実行する前に、ビジーであるかどうかを決定する。チャネルが、占有される場合に、ｅＮＢは、バックオフし、また別の時に、再び試みる。
【００５９】
ＬＡＡについての可能性のある候補である１つのそのようなＬＢＴメカニズムは、ロード・ベース機器（ＬＢＥ：Ｌｏａｄ  Ｂａｓｅｄ  Ｅｑｕｉｐｍｅｎｔ）スキームである。ＬＢＥにおいては、送信に先立って、ｅＮＢは、チャネルが少なくとも２０μｓにわたって、観察される場合の空きチャネル判定（ＣＣＡ）を実行して、チャネルが、占有されているかどうか（すなわち、エネルギー検出）を決定する。チャネルが、ビジーである場合、ｅＮＢは、ｅＮＢがＮ×ＣＣＡ観察期間にわたってチャネルを観察する場合の拡張ＣＣＡ（ＥＣＣＡ：Ｅｘｔｅｎｄｅｄ  ＣＣＡ）を実行し、ここでＮは、ランダム変数である。ｅＮＢは、チャネルが、ＥＣＣＡ観察期間中に空いている場合に、送信することができる。
【００６０】
ＬＴＥ送信は、ｅＮＢなどの中央制御装置によってスケジュールされる。ＬＢＴは、ｅＮＢが、いつｅＮＢがＵＥに対してパケットを送信することができるかを決定することを困難にするので、どのリソース（時間および周波数）が使用されることになるのかを正確に知ることに基づいているそのような中央制御されたスケジューリングは、アンライセンス・バンドにおいては、困難である。
【００６１】
少なくともいくつかの例示の実施形態は、ｅＮＢが、アンライセンス・バンドにおいてＵＥに対するＰＤＳＣＨ送信の開始ポイントを示すためのやり方を開示している。
【００６２】
図１は、例示の一実施形態によるワイヤレス通信ネットワークを示すものである。
【００６３】
図１は、アクセス・ゲートウェイ（図示されず）と通信することができる少なくとも１つのｅノードＢ１１５を含むワイヤレス通信ネットワーク１００を示すものである。ネットワークは、ロング・ターム・エボリューション（ＬＴＥ）ネットワークとすることができる。アクセス・ゲートウェイはまた、インターネット、および／または他の回路および／またはパケットのデータ・ネットワークなど、１つまたは複数の外部ネットワークに、順に、通信するように結合されるコア・ネットワーク（ＣＮ：ｃｏｒｅ  ｎｅｔｗｏｒｋ）に通信するように結合される。この構成に基づいて、ネットワーク１００は、互いに、かつ／または外部ネットワークを経由してアクセス可能な他のユーザ機器もしくはシステムに対して、ユーザ機器（ＵＥ）１０５１〜１０５Ｎを通信するように結合する。
【００６４】
図に示されるように、ネットワーク１００は、ｅＮＢ１１５を含んでいる。しかしながら、ネットワーク１００は、複数のｅＮＢ１１５を含むことができることが、理解されるべきである。
【００６５】
ｅＮＢ１１５は、ユーザ機器（ＵＥ）１０５との進化型ユニバーサル地上波無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ユーザ・プレーン（ＰＤＣＰ／ＲＬＣ／ＭＡＣ／ＰＨＹ）プロトコル終端と、無線リソース制御（ＲＲＣ：ｒａｄｉｏ  ｒｅｓｏｕｒｃｅ  ｃｏｎｔｒｏｌ）プレーン・プロトコル終端とを提供する。
【００６６】
本明細書において、考察されるように、ｅノードＢ１１５は、与えられたカバレッジ・エリア（例えば、１１０−１、１１０−２、１１０−３）の内部で、ＵＥ１０５に対して無線アクセスを提供する基地局のことを意味する。これらのカバレッジ・エリアは、セルと称される。知られているように、複数のセルが、単一のｅノードＢに関連づけられる可能性がある。
【００６７】
別の実施形態においては、単一のセルが、単一のｅＮＢに関連づけられることもある。
【００６８】
本明細書において考察されるように、基地局（例えば、ｅノードＢ）は、本明細書において考察される方法を実行する能力と機能とに加えて、従来のよく知られている基地局に機能的に関連づけられたすべてのものを有することができる。
【００６９】
さらに、ｅＮＢ１１５は、ＬＴＥについてのライセンス・バンドと、アンライセンス・バンドとの両方を使用して、ＵＥ１０５１〜１０５３と通信することができる。
【００７０】
図２Ａは、ｅＮＢ１１５の例示の一実施形態を示すものである。図に示されるように、ｅＮＢ１１５は、メモリ２４０と、様々なインターフェース２６０と、アンテナ２６５とに接続されたプロセッサ２２０を含んでいる。正しく理解されることになるように、ｅＮＢ１１５の実装形態に応じて、ｅＮＢ１１５は、図２Ａに示されるコンポーネントよりもずっと多くのコンポーネントを含むことができる。しかしながら、必ずしも、これらの一般に従来のコンポーネントのうちのすべてが、実例となる例示の実施形態を開示するために示されるとは、限らない。
【００７１】
メモリ２４０は、ランダム・アクセス・メモリ（ＲＡＭ）、リード・オンリー・メモリ（ＲＯＭ）、および／またはディスク・ドライブなどの恒久的マス・ストレージ・デバイスを一般に含むコンピュータ読取り可能ストレージ媒体とすることができる。メモリ２４０はまた、プロセッサ２２０によって実行されるべき、ｅＮＢ１１５の機能（例えば、基地局の機能、例示の実施形態による方法など）を提供するためのオペレーティング・システムと任意の他のルーチン／モジュール／アプリケーションとを記憶する。これらのソフトウェア・コンポーネントは、ドライブ・メカニズム（図示されず）を使用して、別個のコンピュータ読取り可能ストレージ媒体からメモリ２４０へとロードされることもある。そのような別個のコンピュータ読取り可能ストレージ媒体は、ディスク、テープ、ＤＶＤ／ＣＤ−ＲＯＭドライブ、メモリ・カード、または他の同様なコンピュータ読取り可能ストレージ媒体（図示されず）を含むことができる。いくつかの例示の実施形態においては、ソフトウェア・コンポーネントは、コンピュータ読取り可能ストレージ媒体を経由してではなくて、様々なインターフェース２６０のうちの１つを経由して、メモリ２４０へとロードされることもある。
【００７２】
プロセッサ２２０は、システムの算術演算と、論理演算と、入出力オペレーションとを実行することにより、コンピュータ・プログラムの命令を実行するように構成されていることもある。命令は、メモリ２４０により、プロセッサ２２０に対して提供されることもある。
【００７３】
様々なインターフェース２６０は、アンテナ２６５とプロセッサ２２０をインターフェースするコンポーネント、または他の入出力コンポーネントを含むことができる。理解されることになるように、インターフェース２６０と、ｅＮＢ１１５の専用機能を提示する、メモリ２４０に記憶されるプログラムとは、ｅＮＢ１１５の実装形態に応じて変化するであろう。
【００７４】
図２Ｂは、ＵＥ１０５１という一例を示すものである。ＵＥ１０５１だけが、示されているが、ＵＥ１０５２と、ＵＥ１０５３とは、類似した、または同じ構造を有することを理解すべきである。
【００７５】
図に示されるように、ＵＥ１０５１は、メモリ２７０と、様々なインターフェース２９０と、アンテナ２９５とに接続されたプロセッサ２５０を含んでいる。正しく理解されることになるように、ＵＥ１０５１の実装形態に応じて、ＵＥ１０５１は、図２Ｂに示されるコンポーネントよりもずっと多くのコンポーネントを含むことができる。しかしながら、必ずしも、これらの一般に従来のコンポーネントのうちのすべてが、実例となる例示の実施形態を開示するために示されるとは、限らない。
【００７６】
メモリ２７０は、ランダム・アクセス・メモリ（ＲＡＭ）、リード・オンリー・メモリ（ＲＯＭ）、および／またはディスク・ドライブなどの恒久的マス・ストレージ・デバイスを一般に含むコンピュータ読取り可能ストレージ媒体とすることができる。メモリ２７０はまた、プロセッサ２５０によって実行されるべき、ＵＥ１０５１の機能（例えば、ＵＥの機能、例示の実施形態による方法など）を提供するためのオペレーティング・システムと任意の他のルーチン／モジュール／アプリケーションとを記憶する。これらのソフトウェア・コンポーネントは、ドライブ・メカニズム（図示されず）を使用して、別個のコンピュータ読取り可能ストレージ媒体からメモリ２７０へとロードされることもある。そのような別個のコンピュータ読取り可能ストレージ媒体は、ディスク、テープ、ＤＶＤ／ＣＤ−ＲＯＭドライブ、メモリ・カード、または他の同様なコンピュータ読取り可能ストレージ媒体（図示されず）を含むことができる。いくつかの実施形態においては、ソフトウェア・コンポーネントは、コンピュータ読取り可能ストレージ媒体を経由してではなくて、様々なインターフェース２９０のうちの１つを経由して、メモリ２７０へとロードされることもある。
【００７７】
プロセッサ２５０は、システムの算術演算と、論理演算と、入出力オペレーションとを実行することにより、コンピュータ・プログラムの命令を実行するように構成されていることもある。命令は、メモリ２７０により、プロセッサ２５０に対して提供されることもある。
【００７８】
様々なインターフェース２９０は、アンテナ２９５とプロセッサ２５０をインターフェースするコンポーネント、または他の入出力コンポーネントを含むことができる。理解されることになるように、インターフェース２９０と、ＵＥ１０５１の専用機能を提示する、メモリ２７０に記憶されるプログラムとは、ＵＥ１０５１の実装形態に応じて変化するであろう。
【００７９】
説明の目的のためだけに、少なくともいくつかの例示の実施形態が、ロング・ターム・エボリューション（ＬＴＥ）規格に関して、説明される。それに応じて、ＬＴＥに関連するよく知られている専門用語は、例示の実施形態を説明する際に使用されるであろう。
【００８０】
次に、例示の実施形態によるオペレーションが、説明される。
【００８１】
ｅＮＢ１１５は、アンライセンス・バンドにおけるＵＥに対するＰＤＳＣＨ送信の開始ポイントをＵＥ（例えば、ＵＥ１０５１）に対して示すことができる。図３Ａ〜３Ｂに関連して説明されることになるように、ｅＮＢ１１５は、ＰＤＳＣＨ送信をスケジュールし、また次いでアンライセンス・バンドを予約し、あるいはアンライセンス・バンドを予約し、また次いでＰＤＳＣＨ送信をスケジュールすることができる。
【００８２】
図３Ａは、例示の一実施形態に従って、ＰＤＳＣＨ送信をスケジュールし、また次いでアンライセンス・バンドを予約するタイミング図を示すものである。
【００８３】
図３Ａに示されるように、ｅＮＢ１１５は、サブフレームＳＦの中の１３個のシンボルＳ０〜Ｓ１３を通して制御情報とデータとを送信するように構成されている。
【００８４】
ｅＮＢ１１５は、１組の１４個のプリアンブルを生成することができる。各プリアンブルは、シンボルＳ０〜Ｓ１３のうちの１つを示す固有のシーケンスであり、ここでｅＮＢ１１５は、アンライセンス・バンドにおいてデータの送信を開始する。言い換えればプリアンブルのシーケンスは、開始シンボルに関連づけられる。例えば、「１０１０１０１０１０１」は、ＯＦＤＭシンボルＳ０において開始することを示すことができ、また「１１００１１００１１００」は、ＯＦＤＭシンボルＳ１の場合である。各プリアンブルは、長さにおいて１つのＯＦＤＭシンボルとすることができるが、いくつかのサブキャリアを占有する。
【００８５】
したがって、各プリアンブルは、固有のシーケンスであり、この場合には、各シーケンスは、開始シンボルに関連づけられる。
【００８６】
時刻τ０において、ｅＮＢ１１５は、ライセンス・バンドの上でＵＥ１０５１に対してＰＤＣＣＨを経由してダウンリンク制御情報（ＤＣＩ：ｄｏｗｎｌｉｎｋ  ｃｏｎｔｒｏｌ  ｉｎｆｏｒｍａｔｉｏｎ）を送信することを決定する。ＰＤＣＣＨは、アンライセンス・バンドにおいてＰＤＳＣＨをスケジュールし、またアンライセンス・バンドを監視するようにＵＥ１０５１に指示する。さらに、ｅＮＢ１１５は、ＣＣＡを使用して、ＬＢＴを実行して、アンライセンス・バンドの上のチャネルが使用可能であるかどうかを決定する。
【００８７】
時刻τ１において、ｅＮＢ１１５は、アンライセンス・バンドにおいてチャネルを取得する。結果として、ｅＮＢ１１５は、ＯＦＤＭシンボルＳ３の中の１組のプリアンブルの内部の１つのプリアンブル（すなわち、それは、周波数ドメインにおいてマッピングされる）を送信して、ｅＮＢ１１５が、ある種のＯＦＤＭシンボル数において、ＰＤＳＣＨを開始することになることを示す。図３Ａに示される例においては、プリアンブルは、ｅＮＢ１１５が、ＯＦＤＭシンボルＳ５において、ＰＤＳＣＨを開始することになることを示す。ｅＮＢ１１５は、このプリアンブルを送信することにより、チャネルを保持することができる。言い換えれば、ｅＮＢ１１５は、同じプリアンブルを送信する（すなわち、ｅＮＢがＯＦＤＭシンボルＳ３の中で選択したプリアンブルはまた、ＯＦＤＭシンボルＳ４の中でも送信される）。
【００８８】
プリアンブルは、ｅＮＢ１１５が、チャネルを保持することを可能にし、また同時にチャネルを監視している可能性があるＵＥ１０５１のために有用であることを可能にする。
【００８９】
別の例においては、ｅＮＢ１１５は、知られている終了部を有するプリアンブルを使用することができる。例えば、ｅＮＢ１１５は、ＰＤＳＣＨが次のＯＦＤＭシンボルにおいて開始することになることを示す、知られている終了部を有するプリアンブルをＵＥ１０５１に対して送信することができる。
【００９０】
ひとたびＵＥ１０５１が、ｅＮＢ１１５がＯＦＤＭシンボルＳ５において、（例えば、データを送信する）ＰＤＳＣＨを開始することになることを示しているプリアンブルを検出した後に、ＵＥ１０５１は、ＯＦＤＭシンボルＳ５から、ＰＤＳＣＨの上で（例えば、同期化およびチャネル推定を）受信する準備をする。ＵＥ１０５１は、ＵＥ１０５１が、ＯＦＤＭシンボルＳ３とＯＦＤＭシンボルＳ４との中で受信してきている可能性があるどのような信号も切り捨てる。このようにして、ＯＦＤＭシンボルＳ３とＯＦＤＭシンボルＳ４との中のノイズは、ＰＤＳＣＨ復号を悪化させることはない。
【００９１】
時刻τ２において、ｅＮＢ１１５は、ＯＦＤＭシンボルＳ５を使用して、ＰＤＳＣＨの上で送信を開始し、またＵＥ１０５１は、ＰＤＳＣＨの上で受信を開始する。
【００９２】
図３Ａに示される例示の一実施形態においては、プリアンブルは、送信されてきていないＰＤＳＣＨ送信についてのＯＦＤＭシンボルを示す。より具体的には、プリアンブルは、ＯＦＤＭシンボルＳ３において送信され、またＰＤＳＣＨ送信についてのＯＦＤＭシンボルが、Ｓ５であることを示す。プリアンブルが、先行するＯＦＤＭシンボルまたは現在のＯＦＤＭシンボルを示す場合、ｅＮＢ１１５は、次のサブフレームの中の同じ番号付けされたＯＦＤＭシンボルにおいてＰＤＳＣＨを開始することができる。
【００９３】
例えば、ｅＮＢ１１５が、ＯＦＤＭシンボルＳ３において、ＰＤＳＣＨの送信が、ＯＦＤＭシンボルＳ３についてスケジュールされることを示すプリアンブルを送信する場合に、ｅＮＢ１１５は、次のフレームの第４のＯＦＤＭシンボルＳ１７においてＰＤＳＣＨの上の送信を開始する。
【００９４】
図３Ｂは、例示の一実施形態に従って、アンライセンス・バンドを予約し、また次いでＰＤＳＣＨ送信をスケジュールするタイミング図を示すものである。
【００９５】
時刻τ０において、ｅＮＢ１１５は、ＣＣＡを使用して、ＬＢＴを実行して、アンライセンス・バンドにおけるチャネルを取得する。
【００９６】
時刻τ１において、ｅＮＢ１１５は、アンライセンス・バンドにおけるチャネルを成功裏に取得する。次いで、ｅＮＢ１１５は、サブフレームＳＦ１においてプリアンブルを送信することにより、チャネルを保持する。上記で説明されるように、プリアンブルは、ＰＤＳＣＨ送信の開始を示す。この例においては、ｅＮＢ１１５は、プリアンブルを使用して、ＰＤＳＣＨ送信が、ＯＦＤＭシンボルＳ３において開始することを示す。ｅＮＢ１１５が、ＯＦＤＭシンボルＳ３にプリアンブルを送信するので、これは、ＰＤＳＣＨが、次のサブフレームＳＦ２において開始することになることを意味している。
【００９７】
ｅＮＢ１１５が、アンライセンス・チャネルを監視するようにＵＥ１０５１に以前に指示してきているので、ＵＥ１０５１が、このポイントにおいてアンライセンス・チャネルを監視している場合には、ＵＥ１０５１は、このプリアンブルを検出し、またＰＤＳＣＨについての次のサブフレームをバッファする準備をする。
【００９８】
時刻τ２において、すなわち、次のサブフレームＳＦ２の開始時において、ｅＮＢ１１５は、ライセンス・バンドを使用して、ＵＥ１０５１に対してＰＤＣＣＨを経由して、ダウンリンク制御情報（ＤＣＩ）を送信する。ＤＣＩは、アンライセンス・バンドにおけるＰＤＳＣＨのスケジューリング情報を与える。ＵＥ１０５１は、ＰＤＳＣＨの開始を示すプリアンブルを受信したので、ＵＥ１０５１は、どのＯＦＤＭシンボルがＰＤＳＣＨを予想すべきかを知っている。
【００９９】
図３Ｂは、ｅＮＢ１１５が、次のサブフレームにおいてＰＤＣＣＨを経由してＤＣＩを送信することを示すものであるが、ｅＮＢ１１５は、より長い間チャネルを予約し、また後のサブフレームがＤＣＩを送信することを待つことができる。
【０１００】
例示の実施形態は、ＰＤＣＣＨだけには限定されず、またＥＰＤＣＣＨも同じように使用され得ることを理解すべきである。
【０１０１】
時刻τ３において、ｅＮＢ１１５は、アンライセンス・バンドの上でＵＥに対してスケジュールされたＰＤＳＣＨを送信する。より具体的には、ｅＮＢ１１５は、プリアンブルによって示される、番号を付けられたＯＦＤＭにおいて、スケジュールされたＰＤＳＣＨを送信する。ｅＮＢ１１５によって送信されるプリアンブルは、ＰＤＳＣＨ送信が、第４のＯＦＤＭシンボルにおいて開始されることになることを示し、この第４のＯＦＤＭシンボルは、サブフレームＳＦ２の中のＳ１７である。
【０１０２】
プリアンブルの使用により、ｅＮＢ１１５は、送信をスケジュールし、次いでアンライセンス・バンドを予約するべきか、あるいはアンライセンス・バンドを予約し、次いで送信をスケジュールすべきかを決定することができるようになることを理解すべきである。ｅＮＢ１１５が、アンライセンス・チャネルが負荷をかけられており、またそれゆえにこのチャネルをすぐに取得する低い確率を有することを決定する場合に、ｅＮＢ１１５は、スケジュールする前に最初にアンライセンス・チャネルを予約することができる。他方では、ｅＮＢ１１５が、それがアンライセンス・チャネルをすぐに取得することができることを決定する場合に、例えば、アンライセンス・チャネルが、負荷をかけられていない場合に、ｅＮＢ１１５は、アンライセンス・チャネルを予約する前に、最初にアンライセンス・チャネルをスケジュールしたいと望むことができる。
【０１０３】
アンライセンス・バンドの上で可変な保持期間を有することにより、ｅＮＢ１１５は、アンライセンス・バンドの上でスケジュールする際に、柔軟性を与えられることを理解すべきである。説明されるように、ｅＮＢ１１５は、最初にアンライセンス・チャネルを予約し、次いでＵＥをスケジュールするべきか、あるいはＵＥをスケジュールし、次いでアンライセンス・チャネルを予約するべきかのいずれかを行うことが自由である。
【０１０４】
図４は、例示の一実施形態による、データの送信をスケジュールする方法を示すものである。図４の方法は、上記で説明された機能を使用して、ｅＮＢ１１５によって実装され得ることを理解すべきである。
【０１０５】
Ｓ４００において、ｅＮＢは、第１のバンド幅を使用して、ＵＥに対してＤＣＩを送信する。例示の一実施形態においては、第１のバンド幅は、ＬＴＥライセンス・バンド幅の少なくとも一部分とすることができる。別の例示の一実施形態においては、第１のバンド幅は、ＬＴＥライセンス・バンド幅の外側にあることもあるが、ＤＣＩは、ＬＴＥフォーマットで送信される。上記で説明されるように、ｅＮＢは、ｅＮＢが、アンライセンス・バンドにおいてチャネルを取得する前に、または後に、ＵＥに対してＤＣＩを送信することができる。
【０１０６】
Ｓ４１０において、ｅＮＢは、第２のバンド幅を使用して、ＵＥに対してプリアンブルを送信する。第２のバンド幅は、アンライセンス・バンド幅であり、またＬＴＥバンド幅を除外している。プリアンブルは、スケジュールされたデータ送信についての開始シンボルを示す。上記で説明されるように、プリアンブルは、ｅＮＢが、アンライセンス・バンドにおいてチャネルを取得する前に、または後に送信されることもある。
【０１０７】
Ｓ４２０において、ｅＮＢは、ＤＣＩとプリアンブルとに従って、第２のバンド幅を使用して、ＵＥに対してデータを送信する。例えば、プリアンブルが、ｅＮＢがＯＦＤＭシンボルＳ５において送信をスケジュールしてきていることを示す場合に、ｅＮＢは、ＯＦＤＭシンボルＳ５においてＰＤＳＣＨの上で、データを送信する。
【０１０８】
例示の実施形態が、このようにして説明されており、同じことが、多数のやり方で変化させられ得ることが、明らかであろう。そのような変形形態は、例示の実施形態の精神および範囲からの逸脱と見なされるべきではなく、またすべてのそのような修正形態は、当業者にとって明らかになるように、特許請求の範囲の範囲内に含まれることを意図している。
【図１】
0006462141.tif 000002
【図２Ａ】
0006462141.tif 000003
【図２Ｂ】
0006462141.tif 000004
【図３Ａ】
0006462141.tif 000005
【図３Ｂ】
0006462141.tif 000006
【図４】
0006462141.tif 000007